(57)【要約】【課題】光ピックアップユニットに発生した熱をシャーシケースを介して装置外部へ効率良く排出して光ピックアップの温度上昇を防止し、熱的影響に対して動作の安定したディスク装置を提供する。【解決手段】クランプヘッドを備えたターンテーブルおよびスピンドルモータからなるディスクドライブ機構および前記クランプヘッドに対してディスクの直径方向に前進後退する光ピックアップユニットを設けた昇降フレームを上下動させることにより、前記クランプヘッドによるディスクの中心孔のクランプまたはクランプの解除が可能となるようにし、且つ、前記光ピックアップユニットをクランプヘッドから離間させた初期位置に対応するシャーシケースの底板面に放熱シートを貼着してなり、前記昇降フレームが降下したとき、前記放熱シートに前記光ピックアップユニットの底面が接触するようにする。【選択図】図９
2008016152.tif 000002
【特許請求の範囲】
【請求項１】
クランプヘッドを備えたターンテーブルおよびスピンドルモータからなるディスクドライブ機構および前記クランプヘッドに対してディスクの直径方向に前進後退する光ピックアップユニットを設けた昇降フレームを上下動させることにより、前記クランプヘッドによるディスクの中心孔のクランプまたはクランプの解除が可能となるようにし、且つ、前記光ピックアップユニットをクランプヘッドから離間させた初期位置に対応するシャーシケースの底板面に放熱シートを貼着してなり、
前記昇降フレームが降下したとき、前記放熱シートに前記光ピックアップユニットの底面が接触するようにしたことを特徴とするディスク装置。
【請求項２】
放熱シートを貼着するシャーシケースの底板面が傾斜していることを特徴とする請求項１記載のディスク装置。
【請求項３】
クランプヘッドを備えたターンテーブルおよびスピンドルモータからなるディスクドライブ機構および前記クランプヘッドに対してディスクの直径方向に前進後退する光ピックアップユニットを設けた昇降フレームを上下動させることにより、前記クランプヘッドによるディスクの中心孔のクランプまたはクランプの解除が可能となるようにし、且つ、前記光ピックアップユニットの底面に放熱シートを貼着してなり、
前記昇降フレームが降下したとき、前記放熱シートがシャーシの底板面に接触するようにしたことを特徴とするディスク装置。
【請求項４】
光ピックアップユニットの底面に貼着した放熱シートが接触するシャーシケースの底板面が傾斜していることを特徴とする請求項３記載のディスク装置。
【発明の詳細な説明】
【技術分野】
【０００１】
本発明は、各種コンピュータシステムなどの情報機器において、大量の情報を記録する記録媒体としての光ディスク（例えば、ＣＤ−Ｒ／ＲＷ、ＤＶＤ−Ｒ／−ＲＷ／ＲＡＭ／＋Ｒ／＋ＲＷなど）をドライブするディスク装置に関する。
【背景技術】
【０００２】
一般にパーソナルコンピュータ（以下、パソコンという）などに内蔵されているディスク装置は、通常、ディスクを装填するディスクトレイを備えており、このディスクトレイが前進後退するように構成されている。そして、ディスクトレイに装填されたディスクは、ディスク装置本体内でドライブされ、情報の記録または再生が行われる。
【０００３】
図１３は、このような従来のディスク装置１０１の外観を示す斜視図であり、ディスクトレイ１０２は光ディスクを収容するため浅皿状に形成されており、その中央に、直下に配したスピンドルモータ１０３の駆動軸に固定されたターンテーブル１０４が配置され、このターンテーブル１０４のクランプヘッド１０５により光ディスクの中心孔をクランプし、ドライブするようにしている。
【０００４】
光ピックアップユニット１０６はディスクトレイ１０２の裏面に構成された駆動機構により全体がディスクトレイ１０２の直径方向に往復動し、そのビームレンズ１０６ａから光ディスクにレーザビームが照射される。ディスクトレイ２の前端にはフロントベゼル１０７が装着されており、インジケータ１０７ａが表面に臨み、ディスクトレイ１０２のロック状態を強制的に解除するための通孔１０７ｂ、そして、ディスクトレイ１０２のロード状態を解除するための押釦１０８を備える。ディスクトレイ１０２の両側はガイドレール１０９により遊嵌状態で支持されており、このガイドレール１０９はシャーシケース１１０にスライド可能に支持されている。
【０００５】
このように構成されたディスク装置１０１は、パソコン本体の側部などに内蔵され、スイッチ操作あるいはパソコン本体からの指令によりディスクトレイ１０２がポップアウトし、さらにパソコンの使用者がディスクトレイ１０２を引き出し、光ディスクを装填するようにしている。
【０００６】
ところで、一般にデスクトップ型のパソコンでは、その本体の容積が大きいため、内蔵するディスク装置も大型のものを採用することが可能であるが、ノート型パソコンに内蔵するディスク装置は、きわめて薄型に構成され、しかも光ディスクへの情報の記録または情報の再生を司る光ピックアップユニットおよびこの光ピックアップユニットの駆動制御、信号処理を司る半導体集積回路素子などの電子部品を実装した配線基板や機構要素をディスクトレイ１０２内に組み込むようにしている。
【０００７】
このように構成されることから、近年のディスク装置の裏面には電子部品ならびに機構要素が稠密に配設され、各種光ディスクへの情報の記録または情報の再生が可能となるようにしており、その実装技術がディスク装置の性能向上と大きく関連するものとなっている。特に薄型化が要求されるノート型パソコンのディスク装置では、ＣＤ−ＲＯＭ／Ｒ／ＲＷ（読出し／書込み／追記）までの対応が一般的であり、薄型化を維持しつつＤＶＤ−Ｒ／ＲＷ／ＲＡＭ（書込み／追記）に対応できる仕様とすることが甚だ困難であった。
【０００８】
これは、ＤＶＤ−ＲＷ用として採用する光ピックアップの熱的課題によるものであった。即ち、ＤＶＤ−ＲＷ用の光ピックアップは、６５０ｎｍの高出力赤色レーザ素子が標準として採用されるが、この高出力赤色レーザ素子が正常に発光できる温度の上限は、通常、約６０℃程度であり、これより温度が上昇（６６〜７０℃）すると発光を停止するという問題がある。
【０００９】
そして、薄型のディスク装置では、前述したようにディスクトレイまたはシャーシケースに多くの電子部品を実装しているが、特にマイコン系の半導体集積回路素子は約１００℃の発熱があり、また、データの書き込みを行う半導体集積回路素子（フロントエンドプロセッサ）にあっては１００℃以上の高熱を発生する。このような高い発熱をする部品を実装するディスク装置では、当然、その内部の雰囲気温度が上昇し、光ピックアップに高出力赤色レーザ素子を採用することが困難となる。
【００１０】
そこで、ＤＶＤ−ＲＷ用の光ピックアップを採用したディスク装置を内蔵するノート型パソコンでは排気装置を備え、装置内部の空気を強制的に外部へ排出し、ディスク装置の温度上昇を防ぐようにしている。ところが、この排気装置はかなり大掛かりな構成となるため、薄型化、小型化には好ましくない構成要素となり、騒音の発生要因となる。また、光ピックアップユニットに放熱シートを貼着するような試みもなされている（例えば、特許文献１）。
【特許文献１】特開２００５−１９６８６０号公報
【発明の開示】
【発明が解決しようとする課題】
【００１１】
ところが、光ピックアップユニットに放熱シートを貼着するのみの対策では、放熱シートが吸収した熱を装置外部へ十分に放出することができない。即ち、光ピックアップユニットはディスク装置の内部に密封された状態にあり、しかも放熱シートが装置に接触する部分がないため、吸収した熱は放熱シートに蓄熱されたままの状態となり、十分な放熱効果を得ることができない。
【００１２】
上記従来の放熱手段によっても、ディスクトレイを引き出す構成、いわゆるドロワ方式のディスク装置ではディスクを引き出したとき、光ピックアップユニットがシャーシケースの密閉状態から解放され外気に触れることができるので、このとき放熱をある程度期待することができる。ところが、ディスクトレイを採用しないスロットイン方式のディスク装置では、ディスクをスロットから挿入するように構成されていることから、光ピックアップユニットは常にシャーシケース内に密閉された状態となり、外気に全く触れることがない。したがって、ＤＶＤ−ＲＷ用の光ピックアップをスロットイン方式のディスク装置に採用した場合、装置内部の雰囲気温度が異常に高温となることから、放熱シートを光ピックアップユニットに貼着した程度の対策では温度の降下を期待することができない。
【００１３】
本発明は、かかる従来の問題に鑑みなされたものであり、光ピックアップユニットに発生した熱をシャーシケースを介して装置外部へ効率良く排出できるようにしたもので、これにより、光ピックアップの温度上昇を防止し、熱的影響に対して動作の安定したディスク装置となるようにすることを目的とするものである。
【課題を解決するための手段】
【００１４】
そこで本発明は、以下に述べる各手段により上記課題を解決するようにした。即ち、請求項１記載の発明では、クランプヘッドを備えたターンテーブルおよびスピンドルモータからなるディスクドライブ機構および前記クランプヘッドに対してディスクの直径方向に前進後退する光ピックアップユニットを設けた昇降フレームを上下動させることにより、前記クランプヘッドによるディスクの中心孔のクランプまたはクランプの解除が可能となるようにし、且つ、前記光ピックアップユニットをクランプヘッドから離間させた初期位置に対応するシャーシの底板面に放熱シートを貼着してなり、前記昇降フレームが降下したとき、前記放熱シートに前記光ピックアップユニットの底面が接触するようにする。
【００１５】
請求項２記載の発明では、上記請求項１記載の発明において、放熱シートを貼着するシャーシケースの底板面を傾斜させる。
【００１６】
請求項３記載の発明では、クランプヘッドを備えたターンテーブルおよびスピンドルモータからなるディスクドライブ機構および前記クランプヘッドに対してディスクの直径方向に前進後退する光ピックアップユニットを設けた昇降フレームを上下動させることにより、前記クランプヘッドによるディスクの中心孔のクランプまたはクランプの解除が可能となるようにし、且つ、前記光ピックアップユニットの底面に放熱シートを貼着してなり、前記昇降フレームが降下したとき、前記放熱シートがシャーシの底面と接触するようにする。
【００１７】
請求項４記載の発明では、上記請求項３記載の発明において、光ピックアップユニットの底面に貼着した放熱シートが接触するシャーシケースの底板面を傾斜させる。
【発明の効果】
【００１８】
本発明によれば、光ピックアップユニットに発生した熱をシャーシケースを介して装置外部へ効率良くに排出することができ、これにより光ピックアップの温度上昇を防止し、熱的影響に対して動作の安定したディスク装置とすることができる。そして、放熱効果を向上したことにより、排気装置を採用する場合においてもこの装置の小型化が可能となり、騒音の発生が小さいものとすることができる。
【発明を実施するための最良の形態】
【００１９】
以下、本発明の実施の形態を図にもとづいて詳細に説明する。なお、以下の説明では、大小直径の異なる２種類のディスクをドライブ可能としたスロットイン方式のディスク装置を実施例として説明するが、本発明の要旨となる構成は大径ディスクのみをドライブするディスク装置にも採用可能となるものである。
【００２０】
図１は、本発明を実施するスロットイン方式のディスク装置１の外観を示す図であり、シールド状態に構成されたシャーシケース２の天板の中央に開口２ａが形成されており、この開口２ａの周縁部に内部へ突出する凸部２ｂが形成されている。前記シャーシケース２の前端にはフロントベゼル３が固定されており、このフロントベゼル３には、１２ｃｍディスク（以下、大径ディスクという）Ｄ１および８ｃｍディスク（以下、小径ディスクという）Ｄ２を挿入するスロット３ａと、エマージェンシー解除のための通孔３ｂ・３ｃが形成されている。また、フロントベゼル３には、収容されている大径ディスクＤ１または小径ディスクＤ２を装置外部へ搬出させるための押釦４およびディスク装置１の動作状態を表示するためのインジケータ５を備える。
【００２１】
図２は、前記シャーシケース２の天板部分を除去した状態の斜視図であり、このシャーシケース２内にはベースパネル６が配設されており、その中央から斜め下方への配置状態で大径ディスクＤ１および小径ディスクＤ２の駆動ユニットＡが設けられている。この駆動ユニットＡは、大径ディスクＤ１および小径ディスクＤ２の中心孔Ｄａ１・Ｄａ２をクランプまたはクランプされている状態を解除するため、フロントベゼル３側を支軸とし、装置中央に位置する後端部を上下方向に揺動可能となるようにした昇降フレーム７が既知の緩衝支持構造８により複数箇所でベースパネル６に連結されている。
【００２２】
前記昇降フレーム７の先端には、搬入されて停止した大径ディスクＤ１または小径ディスクＤ２の中心に対応する位置にクランプヘッド９が配置される。このクランプヘッド９はターンテーブル１０と一体に構成され、直下に配したスピンドルモータ１１の駆動軸に固定されており、このスピンドルモータ１１によりクランプヘッド９のチャック爪９ａにクランプされた大径ディスクＤ１または小径ディスクＤ２を回転駆動してドライブし、情報の記録または再生が行われる。
【００２３】
符号Ｂは、昇降フレーム７に支持された光ピックアップユニットであり、図３に示すように光ピックアップ１２を大径ディスクＤ１、小径ディスクＤ２の直径方向に往復動させるためのキャリアブロック１３に組み込まれ、このキャリアブロック１３の両端が昇降フレーム７に固定されたガイドシャフト１４・１５に支持されている。そして、前記キャリアブロック１３は、ギヤトレイン１７からスクリューシャフト１８に伝達されたスレッドモータ１６の駆動力により前進後退する。
【００２４】
つぎに、大径ディスクＤ１、小径ディスクＤ２の搬入および搬出を司る複数のアームは、ベースパネル６の平面上に前記昇降フレーム７を囲む状態で配され、ベースパネル６の裏面に配設された駆動機構により作動するように構成されている。この複数のアームの中で、ディスクの搬入および搬出において中枢的機能を果たすのがディスク支持アーム１９であり、リベットピン２０を支点に揺動し、大径ディスクＤ１、小径ディスクＤ２の後端側を支持するとともに搬送行程における高さ位置を正確に保つようにしている。このため、先端にホルダー２１を備え、このホルダー２１の保持溝２１ａで大径ディスクＤ１、小径ディスクＤ２の後端側が保持される。
【００２５】
符号２２は大径ディスクＤ１を装置内部へ搬入するためのローディングアームであり、枢支ピン２３で連結されたリンクレバー２４に牽引されて揺動し、そのローディングローラー２２ａで挿入された大径ディスクＤ１の中心より前方の側部から押圧が開始され、大径ディスクＤ１を装置内部へ誘引する機能を果たす。
【００２６】
ガイドアーム２５はベースパネル６に回転可能に取り付けられた枢支ピン２６を支点にして揺動し、その先端に垂下した状態で固定された支持部材２５ａにより搬送される小径ディスクＤ２の側部を支持して定位置へ導く機能を果たす。また、ガイドアーム２７はリベットピン２８を支点にして揺動し、その先端に垂下した状態で固定された支持部材２７ａにより搬送される大径ディスクＤ１の側部を支持して定位置に導く機能、および小径ディスクＤ２の側部を支持して定位置に導く機能を果たす。このガイドアーム２７は、その基端部の枢支ピン２７ｂにベースパネル６の裏面で第３揺動部材５１の端部と引張コイルバネ５３の端部が取り付けられている。
【００２７】
ガイドアーム２９はリベットピン３０を支点に揺動し、その先端に起立した状態で固定された支持部材２９ａにより搬送される小径ディスクＤ２の側部を支持して定位置へ導く機能、および大径ディスクＤ１の側部を支持して定位置に位置決めする機能を果たす。なお、引張コイルバネ３１に付勢され、リベットピン３２を支点に揺動するリンクレバー３３の作用ピン３３ａが前記ガイドアーム２９のスリット２９ｅに係合しているので、ガイドアーム２９の先端は常に求心方向へ付勢された状態となる。前記ガイドアーム２９の後端部のガイド溝２９ｃに従動ピン３５ｂにより連結されたガイドアーム３５は、リベットピン３６を支点に揺動し、その先端に起立した状態で固定された支持部材３５ａにより大径ディスクＤ１および小径ディスクＤ２の側部を支持して定位置に位置決めする機能を果たす。
【００２８】
符号３７はロックレバーであり、リベットピン３８を支点に揺動し、先端に形成したアングル３７ａが前記ガイドアーム２９の先端に備えた舌片２９ｂを係止することが可能となるようにしている。このロックレバー３７はワイヤースプリング３９により先端のアングル３７ａが常に求心方向へ付勢されているが、通常はストッパー４０が機能して定位置に静止している。
【００２９】
符号４１はリードワイヤーであり、フロントベゼル３の下辺に沿って配設され、その端部が前記ロックレバー３７の後端部に連結されており、係止端部４１ａが起立状態に折り曲げられ、フロントベゼル３のスロット３ａに臨むようにしている。したがって、大径ディスクＤ１をスロット３ａから挿入すると、大径ディスクＤ１の外周縁で前記係止端部４１ａが押圧されるため、このリードワイヤー４１はフロントベゼル３に平行して横移動する。これにより、ロックレバー３７が牽引され、その先端のアングル３７ａが遠心方向へ揺動するため、ガイドアーム２９の舌片２９ｂの係止を回避することができる。
【００３０】
なお、ベースパネル６の平面上に露呈する機構要素において、符号４２ａはレバーアーム４２（図３参照）の係止舌片であり、ガイドアーム２７の位置制御の機能を果たすものであるが、その動作態様の詳細については後述する。また、符号７１は大径ディスクＤ１および小径ディスクＤ２がクランプヘッド９でクランプされている状態を解除するためのクランプ解除ピンである。
【００３１】
以上のようにベースパネル６の平面上に構成された各ガイドアームなどを作動するため、このベースパネル６の裏面に構成された機構要素を以下に説明する。本発明のディスク装置１は、装置内部の側部に図３の仮想線で示すように前後方向に配置したローディングスライダー４３の前進後退により大径ディスクＤ１と小径ディスクＤ２の搬送に係る動作制御のすべてを完結できるように構成されており、機構要素の中枢となるローディングスライダー４３の構成ならびにこのローディングスライダー４３に動作制御される各機構要素について説明する。
【００３２】
図４は、ローディングスライダー４３がベースパネル６の裏面へ対向する方向から俯瞰した状態を示すもので、同図に示すようにローディングスライダー４３は柱状に形成され、その前端部分にラックギヤ４３ａが形成されている。一方、後端部分には、上端水平部４３ｂ−１と下端水平部４３ｂ−２および中間に段差を備えた垂直部４３ｂ−３が連通するガイド溝４３ｂが形成されている。
【００３３】
前記上端水平部４３ｂ−１にはリベットピン４４を支点に揺動する第１揺動部材４５の従動ピン４５ａを装着し、垂直部４３ｂ−３にはリベットピン４６を支点に揺動する第２揺動部材４７の従動ピン４７ａが装着される。そして、この第２揺動部材４７の作用ピン４７ｂは、従動スライダー４８の端部通孔４８ａに装着される。
【００３４】
符号４３ｄはローディングアーム２２を大径ディスクＤ１の搬送に同期させて作動するようにリンクレバー２４を牽引する誘導溝である。図５に示すようにこの誘導溝４３ｄに重合する位置のベースパネル６に固定されたガイドプレート４９にガイドスリット４９ａが形成されており、誘導溝４３ｄとガイドスリット４９ａにリンクレバー２４の先端に固定した従動ピン２４ａを差し込んだ状態としてある。したがって、前進後退する誘導溝４３ｄに対して定位置にあるガイドスリット４９ａとが相互に作用し、前記従動ピン２４ａの動作制御がなされる。
【００３５】
また、ローディングスライダー４３の昇降フレーム７に面する側部にこの昇降フレーム７の昇降を司る従動ピン７ａを上下動させるためのカム溝４３ｅが形成されている。このカム溝４３ｅは昇降フレーム７を低位置に保つ低位部４３ｅ−１、昇降フレーム７を上昇または降下させる傾斜部４３ｅ−２、昇降フレーム７を高位置に保つ高位部４３ｅ−３が連続して形成されている。
【００３６】
図６は、装置内部の後部に構成された動力伝達機構を裏面から俯瞰した状態の分解斜視図であり、従動スライダー４８の昇降フレーム７の昇降を司る従動ピン７ｂを上下動させるためのカム溝４８ｃが形成されている。このカム溝４８ｃは昇降フレーム７を低位置に保つ低位部４８ｃ−１、昇降フレーム７を上昇または降下させる傾斜部４８ｃ−２、昇降フレーム７を高位置に保つ高位部４８ｃ−３が連続して形成されている。
【００３７】
つきに、第１揺動部材４５と後述するギヤディスク５９との間に連結されるリンクアーム５４は、第１揺動部材４５に連結部材５５により連結された第１リンクアーム５４ａと引張コイルバネ５６により付勢された第２リンクアーム５４ｂの組み合わせにより伸縮可能に構成され、大径ディスクＤ１および小径ディスクＤ２の搬送時における機構の安全を確保するようにしている。
【００３８】
図７は、前記第２リンクアーム５４ｂの端部の構成を装置裏面から俯瞰した斜視図であり、第２リンクアーム５４ｂの通孔５４ｂ−１、ディスク支持アーム１９の回転基板１９ａの通孔１９ｂ、ギヤディスク５９の通孔５９ａが同時に枢支ピン５７により回転可能に軸支されている。一方、ディスク支持アーム１９の回転基板１９ａの中心孔１９ｃとギヤディスク５９の中心孔５９ｂは、一端をベースパネル６に固定したリベットピン２０で同時に軸支され、前記回転基板１９ａの係止片１９ｄがギヤディスク５９の係止窓５９ｃに臨み、一体となるようにしている。
【００３９】
前記ギヤディスク５９のシャーシケース２の側面に対向する外周縁の一部にはギヤ５９ｄが形成され、これと相対する外周縁にはスイッチ起動段部５９ｅ・５９ｆが形成されている。前記スイッチ起動段部５９ｅ・５９ｆにより入接されるリミットスイッチ６０は、シャーシケース２の底面上に配設して配線基板（図示せず）に実装され、スイッチノブ６０ａが前記スイッチ起動段部５９ｅ・５９ｆで作動される。
【００４０】
前述したレバーアーム４２は、リベットピン６１を支点に揺動するように固定され、その係止舌片４２ａをベースパネル６の開口からベースパネル６の表面に臨ませるとともに、バネ片４２ｂの先端をベースパネル６の開口壁６ａに接触させ、先端部のローラー４２ｃに遠心方向への付勢力が発生するようにしている。これにより、レバーアーム４２は、ローラー４２ｃが従動スライダー４８の側壁に接触している状態にあるときは定位置に静止しているが、従動スライダー４８がスライドするとその作用片４８ｄにローラー４２ｃが押圧されることによってリベットピン６１を支点に揺動し、係止舌片４２ａが遠心方向へ移動する。
【００４１】
つぎに、ガイドアーム２５を揺動させるための機構を説明する。このガイドアーム２５はその揺動の支点となる基端の枢支ピン２６がベースパネル６の背面に延設され、その端部にローラー支持板６２が固定されている。このローラー支持板６２には図３に示すように引張コイルバネ６３が張設されているので、同図において時計回り方向の付勢力が作用し、これによりガイドアーム２５が求心方向へ傾倒するようになる。前記ローラー支持板６２に配設されたダブルローラー６４は、図８に示すように大径部６４ａと小径部６４ｂが同軸に構成されたものである。
【００４２】
同図において、シャーシケース２の側壁内面に沿って配設されたラックスライダー６５は、ギヤディスク５９のギヤ５９ｄに噛合するラックギヤ６５ａを備え、ギヤディスク５９の回転に同期して前進後退する。ラックスライダー６５の中間部の下辺には低位ガイド片６５ｂ、上辺には高位ガイド片６５ｃが形成されており、低位ガイド片６５ｂが前記ダブルローラー６４の大径部６４ａを案内し、高位ガイド片６５ｃが小径部６４ｂを案内する。
【００４３】
このように構成された機構要素は、ローディングスライダー４３の前進後退により作動されるが、この駆動機構は、図３に示すように装置裏面の角隅部に配設されている。そして、駆動機構の動力源となるローディングモータ６６の出力軸のウォームギヤ６７の回転力がダブルギヤ６８・６９・７０によるギヤトレインにより順次、小径ギヤから大径ギヤへ減速されながら伝達される。そして、ローディングスライダー４３のラックギヤ４３ａに噛合しているダブルギヤ７０の小径ギヤから駆動力が伝達され、ローディングスライダー４３が前進後退する。
【００４４】
以上に説明したディスク装置の構成では、昇降フレーム７が、フロントベゼル３側を支軸として装置中央に位置する後端部が上下方向に揺動し、これにより、クランプヘッド９による大径ディスクＤ１または小径ディスクＤ２のクランプが可能となるようにしている。したがって、フロントベゼル３のスロット３ａからディスクが挿入されるのを待機している状態では、昇降フレーム７は降下しており、ディスクをドライブしている状態では上昇している。
【００４５】
この場合、昇降フレーム７が降下したとき、光ピックアップユニットＢをフロントベゼル３側に位置させなければならない。これは、光ピックアップユニットＢがクランプヘッド９側にあると、昇降フレーム７が降下したとき、光ピックアップユニットＢの底面がシャーシケース２の底板に接触してしまうためであり、光ピックアップユニットＢの底面とシャーシケース２の底板とのクリアランスの大きいフロントベゼル３側に光ピックアップユニットＢをクランプヘッド９から離間させて初期位置となるようにしている。
【００４６】
そこで本発明は、光ピックアップユニットＢが初期位置に達して昇降フレーム７が降下したとき、光ピックアップユニットＢの熱がシャーシケース２に伝達し、放熱効果が向上するようにした。第１実施例である図９に示す構成では、光ピックアップユニットＢの初期位置に対応するシャーシケースの底板に、内部へ膨出させた傾斜部２ｃを形成し、この傾斜部２ｃの傾斜面に放熱シートＳを貼着するようにしている。この放熱シートＳは、シリコーンあるいはグラファイトなどを主材料として熱伝導性を向上したもので、ゲル状の柔軟性を備えたものが好ましい。
【００４７】
したがって、図９（Ａ）に示すように収容したディスクが搬出され、光ピックアップユニットＢが図９（Ｂ）に示すように初期位置へ移動し、その後、昇降フレーム７が図９（Ｃ）に示すように降下すると、光ピックアップユニットＢの底面が図９（Ｃ）に示すごとく放熱シートＳに面接触する。これにより、光ピックアップユニットＢの熱は傾斜部２ｃを介してシャーシケース２へ伝達して放熱されることになる。
【００４８】
第２実施例である図１０に示す構成は、光ピックアップユニットＢの底面に放熱シートＳを貼着（図３参照）するようにしたもので、この場合も図９の構成と同様に昇降フレーム７が降下すると、図１０（Ｃ）に示すように放熱シートＳが傾斜部２ｃに面接触し、光ピックアップユニットＢの熱がシャーシケース２へ伝達して放熱される。
【００４９】
ところで、以上に説明した実施例におけるディスク装置は、昇降フレーム７を降下したときこれが傾斜する方式のディスク装置を例としているが、昇降フレーム７を水平状態で上下動する方式のディスク装置にも本発明を実施することが可能である。第３実施例である図１１（Ａ）に示す構成は、昇降フレーム７を水平状態で上下動する方式のディスク装置において、放熱シートＳを光ピックアップユニットＢの初期位置に対応するシャーシケース２の底板面に貼着するようにした。
【００５０】
これにより、図１１（Ａ）に示すように収容していたディスクが搬出され、光ピックアップユニットＢが図１１（Ｂ）に示すように初期位置へ移動し、その後、昇降フレーム７が水平状態で降下すると、光ピックアップユニットＢの底面が図１１（Ｃ）に示すごとく放熱シートＳに面接触する。これにより、光ピックアップユニットＢの熱はシャーシケース２へ伝達して放熱される。
【００５１】
第４実施例である図１２に示す構成は、光ピックアップユニットＢの底面に放熱シートＳを貼着するようにしたもので、この場合も図１１の構成と同様に昇降フレーム７が水平状態で降下すると、図１２（Ｃ）に示すように放熱シートＳがシャーシケース２の底板に面接触する。これにより、光ピックアップユニットＢの熱はシャーシケース２へ伝達して放熱される。
【００５２】
このように本発明によれば、光ピックアップユニットＢの熱がシャーシケース２へ効率良く伝達させることができ、温度上昇を効果的に防止することができる。したがって、スロットイン方式のように装置内部が密閉されているディスク装置においても高い効率で放熱が可能となり、光ピックアップの安定した動作を確保することができる。
【図面の簡単な説明】
【００５３】
【図１】本発明を実施するスロットイン方式のディスク装置の斜視図である。
【図２】図１のディスク装置の内部の構成を示す斜視図である。
【図３】図１のディスク装置の駆動機構の構成を示す斜視図である。
【図４】ローディングスライダーの構成を示す分解斜視図である。
【図５】ローディングスライダーとガイドプレートの構成を示す分解斜視図である。
【図６】動力伝達機構の構成を示す分解斜視図である。
【図７】ギヤディスクの構成を示す分解斜視図である。
【図８】ラックスライダーの構成を示す斜視図である。
【図９】本発明の第１実施例の構成および機能を説明する図である。
【図１０】本発明の第２実施例の構成および機能を説明する図である。
【図１１】本発明の第３実施例の構成および機能を説明する図である。
【図１２】本発明の第４実施例の構成および機能を説明する図である。
【図１３】従来のディスク装置の外観を示す斜視図である。
【符号の説明】
【００５４】
１・・・・・・ディスク装置
２・・・・・・シャーシケース
２ｃ・・・・・傾斜部
３・・・・・・フロントベゼル
６・・・・・・ベースパネル
７・・・・・・昇降フレーム
８・・・・・・緩衝支持構造
１０・・・・・ターンテーブル
１１・・・・・スピンドルモータ
１２・・・・・光ピックアップ
１３・・・・・キャリアブロック
１４・・・・・ガイドシャフト
１５・・・・・ガイドシャフト
１６・・・・・スレッドモータ
１７・・・・・ギヤトレイン
１８・・・・・スクリューシャフト
１９・・・・・ディスク支持アーム
２１・・・・・ホルダー
２２・・・・・ローディングアーム
２４・・・・・リンクレバー
２５・・・・・ガイドアーム
２７・・・・・ガイドアーム
２９・・・・・ガイドアーム
３１・・・・・引張コイルバネ
３３・・・・・リンクレバー
３５・・・・・ガイドアーム
３７・・・・・ロックレバー
３９・・・・・ワイヤースプリング
４０・・・・・ストッパー
４１・・・・・リードワイヤー
４２・・・・・レバーアーム
４３・・・・・ローディングスライダー
４５・・・・・第１揺動部材
４７・・・・・第２揺動部材
４８・・・・・従動スライダー
４９・・・・・ガイドプレート
５１・・・・・第３揺動部材
５２・・・・・リンクワイヤー
５３・・・・・引張コイルバネ
５４・・・・・リンクアーム
５５・・・・・連結部材
５６・・・・・引張コイルバネ
５９・・・・・ギヤディスク
６０・・・・・リミットスイッチ
６２・・・・・ローラー支持板
６３・・・・・引張コイルバネ
６４・・・・・ダブルローラー
６５・・・・・ラックスライダー
６６・・・・・ローディングモータ
６７・・・・・ウォームギヤ
７１・・・・・クランプ解除ピン
Ａ・・・・・・駆動ユニット
Ｂ・・・・・・光ピックアップユニット
Ｄ１・・・・・大径ディスク
Ｄ２・・・・・小径ディスク
【図１】
2008016152.tif 000003
【図２】
2008016152.tif 000004
【図３】
2008016152.tif 000005
【図４】
2008016152.tif 000006
【図５】
2008016152.tif 000007
【図６】
2008016152.tif 000008
【図７】
2008016152.tif 000009
【図８】
2008016152.tif 000010
【図９】
2008016152.tif 000011
【図１０】
2008016152.tif 000012
【図１１】
2008016152.tif 000013
【図１２】
2008016152.tif 000014
【図１３】
2008016152.tif 000015